(57)【要約】【課題】  汎用性に優れているとともに、浴槽の外面から水受容器が取れることがない水受容器支持構造、及び、この水受容器支持構造に用いられる支持部材を提供する。【解決手段】  本発明は、浴槽３の外面に取り付けられ、浴槽３に形成されている貫通孔３ａからの漏水を受け止める水受容器７と、水受容器７を浴槽３側へ付勢するとともに、水受容器７を支持する支持部材９とを備えることを特徴とする。【選択図】    図１
2007315089.tif 000002
【特許請求の範囲】
【請求項１】
浴槽の外面に取り付けられ、前記浴槽に形成されている貫通孔からの漏水を受け止める水受容器と、
前記水受容器を前記浴槽側へ付勢するとともに、前記水受容器を支持する支持部材とを備えることを特徴とする水受容器支持構造。
【請求項２】
前記支持部材は、
前記浴槽に取り付けられる浴槽取付部と、
前記水受容器に取り付けられる容器取付部と、
前記浴槽取付部と前記容器取付部との間に設けられ、前記水受容器を前記浴槽側へ付勢する付勢部と
を備えることを特徴とする請求項１に記載の水受容器支持構造。
【請求項３】
前記水受容器は、
前記浴槽に形成されている前記貫通孔からの漏水を貯める蓄積部と、
前記蓄積部の裏面側に設けられ、前記支持部材における前記容器取付部と係合する係合部と
を備えることを特徴とする請求項２に記載の水受容器支持構造。
【請求項４】
浴槽に形成されている貫通孔からの漏水を受け止める水受容器を前記浴槽側へ付勢するとともに、前記水受容器を支持することを特徴とする支持部材。
【請求項５】
前記浴槽に取り付けられる浴槽取付部と、
前記水受容器に取り付けられる容器取付部と、
前記浴槽取付部と前記容器取付部との間に設けられ、前記水受容器を前記浴槽側へ付勢する付勢部と
を備えることを特徴とする請求項４に記載の支持部材。
【発明の詳細な説明】
【技術分野】
【０００１】
本発明は、浴槽に形成されている貫通孔からの漏水を受け止める水受容器を支持する水受容器支持構造、及び、この水受容器支持構造に用いられる支持部材に関する。
【背景技術】
【０００２】
近年、浴槽には、お湯が冷めた際に再び沸かすことが可能な追い焚き用アダプターが取り付けられている。この浴槽には、追い焚き用アダプターが固定される貫通孔が形成されるため、該貫通孔からの漏水を受け止める水受容器（いわゆる、水受パン）が取り付けられている。
【０００３】
例えば、浴槽の外面にシール剤（例えば、両面テープやシリコン）により水受容器が取り付けられている水受容器接着構造や、浴槽と洗い場とが一体に形成される浴室ユニット及び水受容器が一体化されている水受容器一体構造が知られている（例えば、特許文献１参照）。
【特許文献１】特開平１１−３２４０５０号公報（第２−３頁、第１図）
【発明の開示】
【発明が解決しようとする課題】
【０００４】
しかしながら、上述した水受容器接着構造では、施工時の誤差（例えば、シール材の塗布量や種類）により接着強度が異なってしまうことや、シール材が劣化することにより接着強度が弱くなってしまうことによって、浴槽の外面から水受容器が取れてしまうことがあった。一方、上述した水受容器一体構造では、浴室ユニットでない場合に使用することができず、汎用性に欠けていた。
【０００５】
そこで、本発明は、このような問題に鑑みてなされたものであり、汎用性に優れているとともに、浴槽の外面から水受容器が取れることがない水受容器支持構造、及び、この水受容器支持構造に用いられる支持部材を提供することを目的とする。
【課題を解決するための手段】
【０００６】
上述した課題を解決するため、本発明は、次のような特徴を有している。まず、本発明の第１の特徴に係る発明は、浴槽の外面に取り付けられ、浴槽に形成されている貫通孔からの漏水を受け止める水受容器と、水受容器を浴槽側へ付勢するとともに、水受容器を支持する支持部材とを備えることを要旨とする。
【０００７】
かかる特徴によれば、水受容器を浴槽側へ付勢するとともに、水受容器を支持する支持部材を水受容器支持構造が備えることによって、浴槽の外面から水受容器が取れてしまうことを防止することができるとともに、浴室ユニットでない場合にも使用することができるため汎用性に優れている。
【０００８】
本発明の第２の特徴に係る発明は、浴槽に取り付けられる浴槽取付部と、水受容器に取り付けられる容器取付部と、浴槽取付部と容器取付部との間に設けられ、水受容器を前記浴槽側へ付勢する付勢部とを支持部材が備えることを要旨とする。
【０００９】
かかる特徴によれば、支持部材が浴槽取付部と容器取付部と付勢部とを備えることによって、水受容器を浴槽側へ確実に付勢することができ、浴槽の外面から水受容器が取れてしまうことを防止することができる。
【００１０】
本発明の第３の特徴に係る発明は、浴槽に形成されている貫通孔からの漏水を貯める蓄積部と、蓄積部の裏面側に設けられ、支持部材における容器取付部と係合する係合部とを水受容器が備えることを要旨とする。
【００１１】
本発明の第４の特徴に係る発明は、浴槽に形成されている貫通孔からの漏水を受け止める水受容器を浴槽側へ付勢するとともに、水受容器を支持することを要旨とする。
【００１２】
本発明の第５の特徴に係る発明は、浴槽に取り付けられる浴槽取付部と、水受容器に取り付けられる容器取付部と、浴槽取付部と容器取付部との間に設けられ、水受容器を浴槽側へ付勢する付勢部とを備えることを要旨とする。
【発明の効果】
【００１３】
本発明によれば、汎用性に優れているとともに、浴槽の外面から水受容器が取れることがない水受容器支持構造、及び、この水受容器支持構造に用いられる支持部材を提供することができる。
【発明を実施するための最良の形態】
【００１４】
以下、本実施の形態に係る水受容器支持構造、及び、この水受容器支持構造に用いられる支持部材の一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれている。
【００１５】
図１は、本実施の形態に係る水受容器支持構造１が設けられている浴室を示す斜視図であり、図２は、本実施の形態に係る水受容器支持構造１を示す側面断面図であり、図３は、本実施の形態に係る水受容器支持構造１を示す斜視図である。
【００１６】
なお、図１では、浴槽３と洗い場５とが一体に形成される浴室ユニットであるが、必ずしも浴室ユニットである必要はなく、浴槽３と洗い場５とが別体で形成される浴室であってもよい。
【００１７】
図１及び図２に示すように、水受容器支持構造１は、浴槽３内のお湯が冷めた際に再び沸かすことが可能な追い焚き用アダプター（不図示）が取り付けられる貫通孔３ａの下側に配置されている。この水受容器支持構造１は、水受容器７（いわゆる、水受パン）と、支持部材９とによって構成されている。
【００１８】
水受容器７は、浴槽３の外面に取り付けられ、浴槽３に形成されている貫通孔３ａからの漏水を受け止めるものである。この水受容器７はＡＢＳ樹脂やポリスチレン（ＰＳ）などの樹脂（いわゆる、スチレン系プラスチック材料）により形成されている。
【００１９】
具体的には、図２に示すように、水受容器７は、浴槽３に形成されている貫通孔３ａからの漏水を貯める蓄積部７ａと、蓄積部７ａの裏面側（底面）に設けられ、後述する支持部材９における容器取付部９ｂと係合する係合部７ｂとによって構成されている。
【００２０】
蓄積部７ａは、上面が開口した箱状に形成されている。この蓄積部７ａにおける洗い場５側の面には、蓄積部７ａに貯まった漏水を流すホース１１が取り付けられている。すなわち、蓄積部７ａに貯まった漏水は、ホース１１を介して洗い場５まで流れる。また、係合部７ｂは、後述する容器取付部９ｂが挿通するように下方へ向けて突出しており、ネジ山状に形成されている。
【００２１】
支持部材９は、水受容器７を浴槽３側へ付勢するとともに、水受容器７を支持するものである（いわゆる、バネ部材である）。この支持部材９は、バネ鋼（ＳＵＰ）やステンレス鋼（ＳＵＳ）などの金属により形成されている。
【００２２】
具体的には、図２及び図３に示すように、支持部材９は、浴槽３に取り付けられる一対の浴槽取付部９ａと、水受容器７に取り付けられる一対の容器取付部９ｂと、浴槽取付部９ａと容器取付部９ｂとの間に設けられ、水受容器７を浴槽３側へ付勢する一対の付勢部９ｃとによって構成されている。
【００２３】
ここで、支持部材９の太さ（いわゆる、直径（Ｄ））は、２ｍｍ以上であることが好ましい。支持部材９の直径（Ｄ）が２ｍｍよりも小さいと、水受容器７を浴槽３側への付勢力が弱くなってしまうとともに、水受容器７の支持力も弱くなってしまうからである。
【００２４】
浴槽取付部９ａは、浴槽３の脚部３ｂにネジ等により取り付けられるために、穴状に形成されている。また、容器取付部９ｂは、水受容器７の係合部７ｂに挿通してナット等により取り付けられるために、長穴状に形成されている。
【００２５】
さらに、付勢部９ｃは、浴槽３の外面に沿って配置されるために、湾曲状に形成されている。また、付勢部９ｃと浴槽取付部９ａとの連結部分、及び、付勢部９ｃと容器取付部９ｂとの連結部分は、屈折している。
【００２６】
（作用・効果）
以上説明した本実施の形態に係る水受容器支持構造１、及び、この水受容器支持構造１に用いられる支持部材９によれば、浴槽取付部９ａと容器取付部９ｂと付勢部９ｃとを備えることによって、浴槽の外面から水受容器が取れてしまうことを防止することができるとともに、浴室ユニットでない場合にも使用することができるため汎用性に優れている。
【００２７】
特に、本実施の形態に係る水受容器支持構造１において、支持部材９に加えて浴槽３と水受容器７との間にシール材等（例えば、両面テープやシリコン）を用いることによって、貫通孔３ａからの漏水を確実に受け止めることができ、さらに、浴槽の外面から水受容器が取れてしまうことを確実に防止することができる。
【００２８】
［その他の実施の形態］
上述したように、実施の形態を通じて本発明の内容を開示したが、この開示の一部をなす論述及び図面は、本発明を限定するものであると理解すべきではない。
【００２９】
例えば、水受容器支持構造１では、水受容器７と支持部材９が別部材であるものとして説明したが、これに限定されるものではなく、水受容器７と支持部材９とが一体（一部材）であっても勿論よい。
【００３０】
また、支持部材９では、付勢部９ｃと容器取付部９ｂとの連結部分が屈折しているものとして説明したが、これに限定されるものではなく、図４（ａ）及び図４（ｂ）に示すように、付勢部９ｃと容器取付部９ｂとの連結部分が屈折していなくてもよい。この場合、水受容器７における係合部７ｂは、蓄積部７ａの側面に設けられる。
【００３１】
また、支持部材９では、付勢部９ｃが浴槽３の外面に沿って湾曲状に形成されているものとして説明したが、これに限定されるものではなく、図５（ａ）及び図５（ｂ）に示すように、付勢部９ｃが浴槽３に向けて湾曲していてもよい。
【００３２】
さらに、容器取付部９ｂは、ネジ山状に形成されている係合部７ｂにナット等により取り付けられるものとして説明したが、これに限定されるものではなく、例えばワンタッチ式のロック機構であってもよく、係合部７ｂに取り付けられる機構であればよい。
【００３３】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００３４】
【図１】本実施の形態に係る水受容器支持構造が設けられている浴室を示す斜視図である。
【図２】本実施の形態に係る水受容器支持構造を示す側面断面図である。
【図３】本実施の形態に係る水受容器支持構造を示す斜視図である。
【図４】その他の実施の形態に係る支持部材を示す図である（その１）。
【図５】その他の実施の形態に係る支持部材を示す図である（その２）。
【符号の説明】
【００３５】
１…水受容器支持構造
３…浴槽
３ａ…貫通孔
３ｂ…脚部
５…洗い場
７…水受容器
７ａ…蓄積部
７ｂ…係合部
９…支持部材
９ａ…浴槽取付部
９ｂ…容器取付部
９ｃ…付勢部
１１…ホース
【図１】
2007315089.tif 000003
【図２】
2007315089.tif 000004
【図３】
2007315089.tif 000005
【図４】
2007315089.tif 000006
【図５】
2007315089.tif 000007